(57)【要約】      （修正有）【課題】第１の生地と第２の生地との間に中間層生地を有する三重構造を形成することによって、布地が薄く、且つ、均一な厚さとなる三重構造の布地を提供する。【解決手段】第１の生地１と第２の生地２との間に中間層生地３を有する三重構造の布地であって、前記第１の生地１は、繊維が緯糸として経糸方向に沿った所定の間隔で織り込まれ、前記第２の生地２は、繊維が緯糸として経糸方向に沿った所定の間隔で織り込まれ、前記中間層生地３は、前記第１の生地１と前記第２の生地２との間で、該第１の生地１及び該第２の生地２に略直交する方向に織り込まれている、ことを特徴とする。【選択図】図１
0003194799.tif 000002
【実用新案登録請求の範囲】
【請求項１】
第１の生地と第２の生地との間に中間層生地を有する三重構造の布地であって、
前記第１の生地は、繊維が緯糸として経糸方向に沿った所定の間隔で織り込まれ、
前記第２の生地は、繊維が緯糸として経糸方向に沿った所定の間隔で織り込まれ、
前記中間層生地は、前記第１の生地と前記第２の生地との間で、該第１の生地及び該第２の生地に略直交する方向に織り込まれている、
ことを特徴とする三重構造の布地。
【請求項２】
前記中間層生地は、繊維が所定の間隔で平行に配置され、前記第１の生地と前記第２の生地との間に空間を形成している、ことを特徴とする、請求項１に記載の三重構造の布地。
【請求項３】
前記第１の生地、前記第２の生地および前記中間層生地が重畳的に配置され、立体的形状を有する、ことを特徴とする、請求項１又は請求項２に記載の三重構造の布地。
【請求項４】
前記中間層生地の繊維は、ポリエステル、ポリウレタン、ポリアミド、アクリル又はその他合成繊維である、ことを特徴とする、請求項１乃至請求項３のいずれか一項に記載の三重構造の布地。
【考案の詳細な説明】
【技術分野】
【０００１】
本考案は、布地に関する。また、本考案は、その布地を用いた被服、鞄又はタオルに関するものであってもよい。
【背景技術】
【０００２】
特許文献１では、ナイロン地からなる表生地とメリヤス地などからなる裏生地との間に、熱可塑性のポリエステルからなり、プリーツ加工によって凹凸形状に成形されたネット素材（メッシュ地）を介在し、表から押さえ縫いして所定の領域にネット素材を封じる技術を開示している。
【先行技術文献】
【特許文献】
【０００３】
【特許文献１】特開２００９−１９７３７６号公報
【考案の概要】
【考案が解決しようとする課題】
【０００４】
しかしながら、特許文献１に開示されている技術では、表から押さえ縫いして所定の領域にネット素材を封じているため、使用時に縫い目から詰め物が抜け出す場合がある。また、特許文献１には、表から押さえ縫いして所定の領域にネット素材を封じているため、布地が厚くなり、且つ、均一な厚さとならない。更に、特許文献１には、表から押さえ縫いして所定の領域にネット素材を封じているため、縫製が煩雑化する。
【０００５】
本考案は、第１の生地と第２の生地との間に中間層生地を有する三重構造を形成することによって、布地が薄く、且つ、均一な厚さとなる三重構造の布地を提供することを目的とする。
【課題を解決するための手段】
【０００６】
上記課題を解決するために、本考案の一つの実施形態は、第１の生地と第２の生地との間に中間層生地を有する三重構造の布地であって、前記第１の生地は、繊維が緯糸として経糸方向に沿った所定の間隔で織り込まれ、前記第２の生地は、繊維が緯糸として経糸方向に沿った所定の間隔で織り込まれ、前記中間層生地は、前記第１の生地と前記第２の生地との間で、該第１の生地及び該第２の生地に略直交する方向に織り込まれている、ことを特徴とする三重構造の布地を提供する。また、前記中間層生地は、繊維が所定の間隔で平行に配置され、前記第１の生地と前記第２の生地との間に空間を形成している、ことを特徴とする三重構造の布地であってもよい。また、前記第１の生地、前記第２の生地および前記中間層生地が重畳的に配置され、立体的形状を有する、ことを特徴とする三重構造の布地であってもよい。また、前記中間層生地の繊維は、ポリエステル、ポリウレタン、ポリアミド、アクリル又はその他合成繊維である、ことを特徴とする三重構造の布地であってもよい。
【考案の効果】
【０００７】
本考案に係る三重構造の布地によれば、第１の生地と第２の生地との間に中間層生地を有する三重構造を形成することによって、布地が薄く、且つ、均一な厚さとすることができる。
【図面の簡単な説明】
【０００８】
【図１】本考案の実施形態に係る三重構造の布地の一例を示す概略構成図である。
【図２】本考案の実施形態に係る三重構造の布地の一例を示す拡大図である。
【図３】本考案の実施例に係る三重構造の布地の一例を説明する説明図である。
【考案を実施するための形態】
【０００９】
表生地（第１の生地）と裏生地（第２の生地）との間に中間層生地を有する三重構造の布地を用いて、本考案を説明する。なお、本考案は、以下に説明する三重構造の布地以外でも、表生地と裏生地とに挟まれ、且つ、表生地及び裏生地に略直交する方向に織り込まれている中間層生地を有するもの（布、生地、織物、被服、鞄、タオルなど）であれば、いずれのものにも用いることができる。また、本考案は、以下に説明する三重構造の布地以外でも、表生地と裏生地とに用途が限定されることなく、リバーシブルな布地であってもよい。
【００１０】
図１及び図２を用いて、本考案の実施形態に係る三重構造の布地の構成を説明する。ここで、図１は、本考案に係る三重構造の布地の一例を示す概略構成図である。図２は、図１のＲａ領域の拡大図であり、本考案に係る三重構造の布地の一例を示す図である。なお、図１及び図２に示す三重構造の布地の構成は一例であり、本考案は図１及び図２に示す構成に限定されるものではない。
【００１１】
図１に示すように、本実施形態に係る三重構造の布地１００は、第１の生地（以下、「表生地」という。）１と第２の生地（以下、「裏生地」という。）２との間に中間層生地３を有する三重構造の布地である。三重構造の布地１００は、表生地１、裏生地２および中間層生地３が重畳的に配置され、立体的形状を有する。
【００１２】
以下に、各構成を具体的に説明する。
【００１３】
表生地１は、図２に示すように、繊維が緯糸として経糸方向（図中のｘ方向）に沿った所定の間隔で織り込まれている。表生地１は、本実施形態では、２種類の糸（１ａ及び１ｂ）を交互に織り込まれている。なお、図２に示す表生地１は一例であり、本考案に用いることができる表生地１は図２に示すものに限定されるものではない。
【００１４】
裏生地２は、図２に示すように、繊維が緯糸として経糸方向（図中のｘ方向）に沿った所定の間隔で織り込まれている。裏生地２は、本実施形態では、２種類の糸（２ａ及び２ｂ）を交互に織り込まれている。なお、図２に示す裏生地２は一例であり、本考案に用いることができる裏生地２は図２に示すものに限定されるものではない。
【００１５】
表生地１及び裏生地２の繊維は、布地の用途等に応じて、任意に定められる。表生地１及び裏生地２の繊維は、例えば絹、綿、麻若しくは羊毛又はその他天然繊維を用いてもよい。また、表生地１及び裏生地２は、その表面をガーゼ地で形成してもよい。この構成によれば、ガーゼの柔らかさを布地に持たせることができ、軽くて乾きやすく、使うほど
に布地が肌になじむようにできる。
【００１６】
中間層生地３は、図２に示すように、表生地１と裏生地２との間で、表生地１及び裏生地２に略直交する方向（図中のｚ方向）に織り込まれている。また、中間層生地３は、繊維が所定の間隔で平行して配置され、表生地１と裏生地２との間に空間を形成している。これにより、本実施形態に係る三重構造の布地１００は、形成した空間に空気及び／又は湿気が流れ、空気及び／又は湿気の循環空気層を形成することができる。また、三重構造の布地１００は、空気及び／又は湿気の循環空気層を形成することができるので、爽やかで布地（肌）が呼吸している感覚を模擬することができる。
【００１７】
なお、中間層生地３の繊維は、比較的弾性の高い繊維を用いることができる。中間層生地３の繊維は、例えばポリエステル、ポリウレタン、ポリアミド、アクリル又はその他合成繊維を用いてもよい。
【００１８】
以上のとおり、本考案に係る三重構造の布地１００によれば、表生地１及び裏生地２に略直交する方向に中間層生地３を織り込んでいるため、使用時に縫い目から詰め物が抜け出すこと防止することができる。また、本考案に係る三重構造の布地１００によれば、表生地１と裏生地２との間で、表生地１及び裏生地２に略直交する方向に中間層生地３を織り込んでいるので、布地の厚さが薄くなり、且つ、均一な厚さにすることができる。更に、本考案に係る三重構造の布地１００によれば、表生地１、裏生地２及び中間層生地３を同時に編み込みすることができるので、縫製を単純化することができる。
【００１９】
また、本考案に係る三重構造の布地１００によれば、表生地１と裏生地２との間に中間層生地３を有する三重構造を形成することによって、布地が薄く、且つ、均一な厚さとなる三重構造の布地とすることができる。このため、三重構造の布地１００によれば、表生地１又は裏生地２の表面の汚れが落ちやすく、容易に洗濯できる。また、三重構造の布地１００によれば、表生地１と裏生地２との間に中間層生地３を有する三重構造を形成することによって水分によって収縮しないことで、サイズが縮んで小さくなる恐れが無い。更に、三重構造の布地１００によれば、表生地１と裏生地２との間に中間層生地３を有する三重構造を形成することによって、表と裏の生地をきちんと支え、キックバックの強い布地にすることができ、変形しにくく、斜行しにくく、型崩れしにくい特性を有することができる。
【００２０】
更に、本考案に係る三重構造の布地１００によれば、表生地１と裏生地２との間に中間層生地３を有する三重構造を形成することによって、空気及び／又は湿気の循環空気層を形成することができる。このため、三重構造の布地１００によれば、通気性に優れ、水分の吸収や発散が早く、 吸湿性と保温性を高めることができる。また、三重構造の布地１００によれば、表生地と裏生地との間に中生地を必要としないので、軽量化でき、エコロジーであるとともに、縫製が煩雑化することもない。
【実施例】
【００２１】
実施形態に係る三重構造の布地１００の実施例を用いて、本考案を説明する。なお、本考案は、以後に説明する布地以外でも、表生地と裏生地とに挟まれ、且つ、表生地及び裏生地に略直交する方向に織り込まれている中間層生地を有するもの（布、生地、織物、被服、鞄、タオルなど）であれば、いずれのものにも用いることができる。
【００２２】
図３を用いて、本考案の実施例に係る三重構造の布地１００ａの構成を説明する。ここで、図３（ａ）は、本実施例に係る三重構造の布地１００ａの一例を示す概略構成図である。図３（ｂ）は、図３（ａ）のＲ１領域の拡大図であり、本実施例に係る三重構造の布地の一例を示す図である。なお、図３に示す三重構造の布地の構成は一例であり、本考案は図３に示す構成に限定されるものではない。
【００２３】
図３（ｂ）に示すように、本実施例に係る三重構造の布地１００ａは、表生地１と裏生地２との間に中間層生地３を有する三重構造の布地である。
【００２４】
三重構造の布地１００ａは、本実施例では、厚さ略３ｍｍである。三重構造の布地１００ａの表生地１は、略０．３ｍｍである。三重構造の布地１００ａの裏生地２は、略０．３ｍｍである。三重構造の布地１００ａの中間層生地３は、略２．４ｍｍである。なお、三重構造の布地の各構成の厚さは一例であり、本考案は図３に示す各構成の厚さに限定されるものではない。本考案に係る三重構造の布地は、表生地又は裏生地の厚さに対して、中間層生地の厚さは例えば略１０倍であってもよい。
【００２５】
これにより、本実施例に係る三重構造の布地１００ａは、実施形態に係る三重構造の布地１００と同様の効果を得ることができる。
【００２６】
以上のとおり、本考案に係る実施形態及び実施例について説明したが、本考案は上記の実施形態及び実施例に限定されるものではない。すなわち、本考案は、特許請求の範囲に記載の内容に基づいて、様々に変形、変更又はその他任意に改変され得る。
【符号の説明】
【００２７】
１００，１００ａ  ：  三重構造の布地
１，１ａ，１ｂ    ：  第１の生地
２，２ａ，２ｂ    ：  第２の生地
３  ：  中間層生地
Ｒａ，Ｒ１  ：  拡大領域
【図１】
0003194799.tif 000003
【図２】
0003194799.tif 000004
【図３】
0003194799.tif 000005